(57)【要約】【課題】容易かつ高速な通信を行うことができ、装置の小型化を図ることができる通信用デバイス、通信システム及び通信兼表示用デバイスを提供すること。【解決手段】複数の発光ダイオード１０にシリアルに入力されたデータに応じて発光ダイオード１０をシリアルに発光制御する光情報の送信手段５と、送信手段５からの情報光１６を受光する受光手段６とを有し、情報光１６に対応したデータをシリアルに出力するように構成されている、通信用デバイス１。また、上記の送信手段５を具備する、通信システム。さらに、送信手段５及び受光手段６を有する上記の通信手段を画像表示装置上に配置することによって、通信システムと画像表示装置を一体化した通信兼表示用デバイス。【選択図】          図１
2004297630.tif 000002
【特許請求の範囲】
【請求項１】
複数の発光素子にシリアルに入力されたデータに応じて前記発光素子をシリアルに発光制御する光情報の送信手段と、前記送信手段からの情報光を受光する受光手段とを有し、前記情報光に対応したデータをシリアルに出力するように構成されている、通信用デバイス。
【請求項２】
発光ダイオードが１次元又は２次元に配置されている、請求項１に記載した通信用デバイス。
【請求項３】
可視光線を出射する前記発光ダイオードが用いられている、請求項２に記載した通信用デバイス。
【請求項４】
照明用としても使用される、請求項３に記載した通信用デバイス。
【請求項５】
赤外光線を出射する前記発光ダイオードが用いられている、請求項２に記載した通信用デバイス。
【請求項６】
リモートコントローラとしても使用される、請求項５に記載した通信用デバイス。
【請求項７】
前記受光手段としてフォトダイオードが用いられている、請求項１に記載した通信用デバイス。
【請求項８】
前記受光手段としてファイバーが用いられ、ファイバー通信を行うように構成されている、請求項１に記載した通信用デバイス。
【請求項９】
前記発光ダイオードの間に前記受光手段が実装されている、請求項２に記載した通信用デバイス。
【請求項１０】
請求項１に記載した送信手段を具備する、通信システム。
【請求項１１】
請求項１〜９のいずれか１項に記載した通信用デバイスからなる、請求項１０に記載した通信システム。
【請求項１２】
請求項１に記載した送信手段を画像表示装置に配置することによって、通信システムと画像表示装置とを一体化した通信兼表示用デバイス。
【請求項１３】
請求項１１に記載した通信システムを有する、請求項１２に記載した通信兼表示用デバイス。
【発明の詳細な説明】
【０００１】
【発明の属する技術分野】
本発明は、通信用デバイス、通信システム及び通信兼表示用デバイスに関するものである。
【０００２】
【従来の技術】
発光ダイオード（ＬＥＤ：Ｌｉｇｈｔ  Ｅｍｉｔｔｉｎｇ  Ｄｉｏｄｅ）は、電荷を印加して発光するまでの応答速度が非常に早いということは一般的に知られているが、現在の情報転送の速度として一般的な１ＧＨｚ以上の転送を行うことができるほど、応答速度は速くない。従って、通信用デバイスとしては、波長の規則性とエネルギー密度の関係から、近赤外〜遠赤外領域の半導体レーザーを用いるのが一般的である。
【０００３】
しかしながら、半導体レーザーはファイバーなどの中を通す場合には問題ないが、開空間にさらした場合、目で直視すると人体に影響が出たりするために法的規制上、高出力化は難しく、また広領域に拡散させると出力が非常に落ちる傾向にある等の問題点を有しており、時空間の情報転送デバイスとしては半導体レーザーは不向きである。
【０００４】
近年の研究から、ＬＥＤを５０μｍ２以下に小型化することで、活性層にチャージされる電荷の絶対量を減らすことができ、これにより、高速に発光させることが可能となるという研究報告がなされている（Ａｐｐｌ．  Ｐｈｙｓ．  Ｌｅｔｔ．，  Ｖｏｌ．７８，  Ｎｏ．２２，  ２８  Ｍａｙ  ２００１．  Ｊｉｎ  ｅｔ  ａｌ．  （３５３２−３５３４））。この論文によると、１０μｍ角のプレーナー型ＬＥＤでは１ｐｓ以下の応答特性が得られている。逆にこれを換算すると、１テラバイト（ＴＢ）の発光間隔が得られることになるが、実際問題として、回路側のデザインルール上、数百ＧＨｚが限界である。
【０００５】
上記の論文によれば、理論上、光転送デバイスとしてのＬＥＤの可能性が有望である。しかしながら、受光デバイスとしては赤外光（波長は約０．７６μｍ〜１ｍｍ）領域ではＧａＡｓ系のＰｉｎフォトダイオード、可視光（波長は約３８０〜７８０ｎｍ）領域ではＳｉ系のＰｉｎフォトダイオードが用いられるが、速度が速くなればなるほど、受光面積を小さくする必要がある。このため、反応するためのエネルギーが必要となり、これがＬＥＤに代えて半導体レーザーを用いる一要因となっている。また現在、ＬＥＤは、低消費電力及び高寿命の観点から照明装置として使用されているが、ＬＥＤの高速応答性は生かしきれていない。
【０００６】
一方、ＬＥＤアレイを用いた高速通信方法が提案されている（後述の特許文献１参照。）。図７は、特許文献１による通信システムのシステム構成図である。
【０００７】
この通信システムは、コーディング／シリアル・パラレル変換回路３０及びＬＥＤアレイ部３１を有する送信装置３２と、受光素子アレイ部３３としてのフォトダイオードアレイ部、光学系としての集光レンズ３４、増幅器３５、２値化回路３６、データ選択回路３７及びパラレル・シリアル変換／デコーディング回路３８を有する受信装置３９とから構成されている。
【０００８】
特許文献１による通信システムの動作は、電気信号であるシリアルデータが送信装置３２の変換回路３０に供給される。変換回路３０においては、入力されたシリアルデータが、それぞれ所定の情報が与えられて１６ビットのパラレルデータに変換され、ＬＥＤアレイ部３１に供給される。ＬＥＤアレイ部３１においては、変換回路３０によるパラレルデータのビット数に応じた数の各ＬＥＤ４０が、対応付けられているパラレルデータのビット情報に基づいて並列的に発光制御される。これにより、ＬＥＤアレイ部３１から、空間的に所定の範囲で分散した情報光ＳＯＬが出射される。
【０００９】
送信装置３２から送信された空間的に所定の範囲で分散した情報光ＳＯＬは、集光レンズ３４を介して受信装置３９のフォトダイオードアレイ部３３の所定の領域に入射される。フォトダイオードアレイ部３３においては、情報光ＳＯＬを受けた領域の受光素子を含めて全てのフォトダイオードで、受光量に応じたレベルの複数の電気信号が生成される。この電気信号は並列的に生成され、対応する増幅器３５で所定の利得を持って増幅された後、対応する２値化回路３６に供給される。各２値化回路３６では、対応する増幅器３５による電気信号が、所定の閾値と比較されて「０」及び「１」に２値化され、データ選択回路３７に出力される。
【００１０】
データ選択回路３７では、各２値化回路３６による２値化データを受けて、送信装置３２から送信された１６ビットに相当の情報光ＳＯＬに応じた１６ビットのデータがパラレルデータとして選択され、変換回路３８に出力される。そして、変換回路３８においては、データ選択回路３７により選択された情報光ＳＯＬに対応する１６ビットデータがデコードされ、パラレルデータからシリアルデータに変換されて出力される。
【００１１】
特許文献１の通信システムによれば、上記のようにして、シリアル信号をパラレル変換して信号転送を行うことにより、ＬＥＤの潜在的な問題点である応答特性の遅さを回避することができる。
【００１２】
【特許文献１】
特開２００１−２９２１０７号公報（５頁８欄１０行目〜７頁１１欄７行目、図１〜３）
【００１３】
【発明が解決しようとする課題】
しかしながら、上記の特許文献１の通信システムによると、以下に示すような問題点がある。
【００１４】
まず、信号情報をコーディング／シリアル・パラレル変換回路３０を用いてパラレルに変換した後、再び受光素子アレイ部３３のフォトダイオードに１対１に対応するように光軸を合わせる必要があり、このＬＥＤアレイ部３１を高密度化すると軸合わせが困難になるという問題を有する。
【００１５】
また、１つのＬＥＤ４０が有する出力が小さいので、光転送には距離が短くなってしまう。
【００１６】
さらに、シリアル信号を一度パラレル信号に変換するための回路３０及びパラレル信号を再度シリアル信号に変換するための回路３８を必要とするので、システム全体の小型化は難しく、また、各ＬＥＤ４０にパラレル情報を転送させるため、信号の微小な光路長の差異を吸収するために同期を確実に取れる専用の信号を入力する必要がある。
【００１７】
本発明は、上述したような問題点を解決するためになされたものであって、その目的は、容易かつ高速な通信を行うことができ、装置の小型化を図ることができる通信用デバイス、通信システム及び通信兼表示用デバイスを提供することにある。
【００１８】
【課題を解決するための手段】
即ち、本発明は、複数の発光素子にシリアルに入力されたデータに応じて前記発光素子をシリアルに発光制御する光情報の送信手段と、前記送信手段からの情報光を受光する受光手段とを有し、前記情報光に対応したデータをシリアルに出力するように構成されている、通信用デバイスに係るものである。また、上記の送信手段を具備する、通信システムに係るものである。
【００１９】
本発明によれば、前記複数の発光素子にシリアルに入力されたデータに応じて前記発光素子をシリアルに発光制御する光情報の前記送信手段と、前記送信手段からの情報光を受光する前記受光手段とを有し、前記情報光に対応したデータをシリアルに出力するように構成されているので、上記した従来例のように、発光素子と受光素子とが１対１に対応するように正確に光軸を合わせる必要がなくなり、相互信号の光路長の変化による同期のずれもない。従って、前記送信手段及び前記受光手段の設置位置の自由度が増し、前記シリアルデータの通信を容易に行うことができる。
【００２０】
また、前記発光素子がシリアルに発光制御され、前記受光手段が前記情報光に対応したデータをシリアルに出力するので、従来例ようなシリアル信号をパラレル信号に変換したり、或いはパラレル信号をシリアル信号に変換する時間が省かれ、高速な応答性を有することができる。
【００２１】
また、シリアル信号をパラレル信号に変換するための回路及びパラレル信号をシリアル信号に変換するための回路を必要としないので、デバイス自体の小型化及び低消費電力化を図ることができる。
【００２２】
さらに、前記複数の発光素子にシリアルに入力されたデータに応じて前記発光素子がシリアルに発光制御されるので、前記発光素子の実装密度を容易に大きくすることができ、即ち光量の大幅な向上を図ることができ、広い範囲での空間光転送を容易に行うことができる。
【００２３】
【発明の実施の形態】
本発明に基づく通信用デバイスは、前記発光素子として発光ダイオードが用いられ、この発光ダイオードが１次元又は２次元に配置されていることが望ましい。
【００２４】
また、前記発光ダイオードが小型化されたものであることが好ましく、具体的には、６〜１５０μｍ角であることが好ましい。これにより、前記発光ダイオードの活性層にチャージされる電荷の絶対量を低下することができるので、より高速な応答性を実現することができる。また、前記発光ダイオード単品を小型化することにより、実装密度をより向上させることができるので、光の高出力化を図ることができ、より広範囲にわたる前記情報光の送信が可能となる。また、前記発光ダイオードの狭バンドギャップ特性を利用して多波長の通信が可能である。
【００２５】
本発明に基づく通信システムは、後述する本発明に基づく通信用デバイスからなることが好ましい。
【００２６】
実施の形態１
図１は、本発明に基づく通信用デバイスの一例の模式図である。
【００２７】
図１に示すように、本発明に基づく通信用デバイス１は、データ線選択回路２、発光ダイオードアレイ部３及びシフトレジスタ４を有する送信手段５と、受光手段６とから構成されており、更に増幅器７、２値化回路８及びデータ選択回路９を有する。
【００２８】
発光ダイオードアレイ部３は、図２に示すように、前記発光素子としての発光ダイオード１０が基板１１上に１００〜２０００μｍ間隔で２次元に配置されている。後述するように、この発光ダイオード１０を高速に点滅させ、それを受光することで光による情報転送を行うことができる。これによれば、実発光面積が非常に小さいこともあり、軸合わせが容易であり、例えば半導体レーザーを用いる場合よりも低消費電力化を図ることができ、低コストとなる。
【００２９】
図３は、前記発光素子としてマイクロ発光ダイオード（以下、マイクロＬＥＤと称する場合がある。）を用いた場合の模式図である。
【００３０】
マイクロＬＥＤ１０ａは、ＧａＡｓ、ＩｎＧａＮ、ＩｎＧａＡｓ、ＧａＮ等のＬＥＤ素子を１０〜１００μｍ間隔程度の大きさのＣ面を選択的にエキピシタル成長させたプレーナー構造、又はＳ面をエキピシタル成長させたピラミッド構造のデバイスである。なお、図３に示すマイクロＬＥＤ１０ａはプレーナー構造である。マイクロＬＥＤ１０ａの大きさとしては、例えば６〜１５０μｍ角であればよく、これにより、マイクロＬＥＤ１０ａの活性層にチャージされる電荷の絶対量を低下することができるので、より高速な応答性を実現することができる。また、実装密度の一層の向上を図ることができるので、光の高出力化を図ることができ、さらにマイクロＬＥＤ１０ａの狭バンドギャップ特性を利用して多波長の通信が可能となる。
【００３１】
発光ダイオードアレイ部３は、上記のようにしてエキピシタル成長させたプレーナー型のマイクロＬＥＤ１０ａをそれぞれ素子分離し、図３に示すように、ｐ極１２とｎ極１３を有するマイクロＬＥＤ１０ａの裏面にはＮ電極１４を接続し、かつ表面にはＰ電極１５を接続することにより、作製することができる。Ｐ電極１５をｘ方向に実装されたマイクロＬＥＤ１０ａを並列に接続した場合、Ｎ電極１４をＹ方向にマイクロＬＥＤ１０ａを接続すれば、省配線化されたアレイ構造を形成することができる。
【００３２】
ここで、基板１１上に実装したマイクロＬＥＤ１０ａの特性が均一の場合は、全てのＸ方向とＹ方向に電圧を印加すれば均一に発光させることができる。また、互いに異なる波長のマイクロＬＥＤ１０ａを実装した場合は、時間分割して発光させることで、情報量は若干低下し易くなるが、複数の異なった情報を送信することが可能となる。また、より多重な配線構造を施すと、互いに異なる波長のマイクロＬＥＤ１０ａにそれぞれ、Ｐ電極１５又はＮ電極１４のラインを接続させることで、より高密度の情報転送を行うことが可能である。
【００３３】
Ｐ電極１５の材質は特に限定されないが、例えばＩＴＯ（ｉｎｄｉｕｍ  ｔｉｎ  ｏｘｉｄｅ：インジウム酸化物にスズをドープした導電性酸化物）等を用いることができる。また、Ｎ電極１４の材質も特に限定されず、例えばメタルが挙げられる。
【００３４】
図１に示すような本発明に基づく通信用デバイス１において、受光手段６としては、例えば基板上にマトリクス状に配列されたフォトダイオードを用いることができる。受光量に応じたレベルの電気信号が、前記フォトダイオードから増幅器７に高速出力される。
【００３５】
なお、図示省略したが、送信手段５と受光手段６との間に集光レンズが設置されていることが好ましい。前記集光レンズは、送信手段５の発光ダイオードアレイ部３から送信される情報光１６をフォトダイオードからなる受光手段６の所定領域に集光する。この集光レンズにより、発光ダイオードアレイ部３の真下部分に受光手段６が設置された場合はもとより、斜めに情報光１６が入射する場合であっても、より確実に受光手段６の受光領域に情報光１６を導くことができる。
【００３６】
また、増幅器７は、受光手段６としての前記フォトダイオードにより得られた電気信号を増幅し、２値化回路８に出力する。
【００３７】
２値化回路８は、増幅器７からの電気信号を、所定の閾値と比較して「０」及び「１」に２値化し、データ選択回路９に出力する。
【００３８】
データ選択回路９は、２値化回路８による２値化データを受けて、送信手段５から送信された情報光１６に応じたデータをシリアルデータとして選択し、出力する。
【００３９】
以下に、本発明に基づく通信用デバイス１の動作の一例を説明する。
【００４０】
本発明に基づく通信用デバイス１の動作は、電気信号であるシリアルデータが送信手段５のデータ線選択回路２に供給される。データ線選択回路２にシリアルデータが入力されると、このシリアルデータに対応して発光ダイオードアレイ部３の時系列にデータ線（図示省略）が選択され、同時にシフトレジスタ４によって時系列に走査線（図示省略）が選択され、このシリアルデータが発光ダイオードアレイ部３に供給される。発光ダイオードアレイ部３は、上記にシリアルに入力されたデータに応じて、データ線選択回路２及びシフトレジスタ４によってシリアルに発光制御される。これにより、発光ダイオードアレイ部３から空間的に所定の範囲で分散した情報光１６が出射される。
【００４１】
送信手段５から送信された空間的に所定の範囲で分散した情報光１６は、集光レンズ（図示省略）を介して受光素子（フォトダイオード）からなる受光手段６に入射される。受光手段６においては、情報光１６を受けた領域の受光素子を含めて全ての受光素子で、受光量に応じたレベルの複数の電気信号が生成される。
この電気信号は、対応する増幅器７で所定の利得を持って増幅された後、対応する２値化回路８に供給される。２値化回路８では、対応する増幅器７による電気信号が、所定の閾値と比較されて「０」及び「１」に２値化され、データ選択回路９に出力される。
【００４２】
データ選択回路９では、２値化回路８による２値化データを受けて、送信手段５から送信された情報光１６に応じたデータがシリアルデータとして選択され、出力される。
【００４３】
本発明に基づく通信用デバイス１によれば、前記複数の発光素子としての発光ダイオード１０にシリアルに入力されたデータに応じて発光ダイオード１０をシリアルに発光制御する光情報の送信手段５と、送信手段５からの情報光を受光する受光素子からなる受光手段６とを有し、情報光１６に対応したデータをシリアルに出力するように構成されているので、発光ダイオード１０と前記受光素子とが１対１に対応するように正確に光軸を合わせる必要がなくなり、相互信号の光路長の変化による同期のずれもない。従って、送信手段５及び受光手段６の設置位置の自由度が増し、前記シリアルデータの通信を容易に行うことができる。
【００４４】
また、発光ダイオード１０がシリアルに発光制御され、受光手段６が情報光１６に対応したデータをシリアルに出力するので、従来例ようなシリアル信号をパラレル信号に変換したり、或いはパラレル信号をシリアル信号に変換する時間が省かれ、より高速な応答性を有することができる。
【００４５】
また、シリアル信号をパラレル信号に変換するための回路及びパラレル信号をシリアル信号に変換するための回路を必要としないので、デバイス自体の小型化及び低消費電力化を図ることができる。
【００４６】
さらに、発光ダイオード１０からなる発光ダイオードアレイ部３にシリアルに入力されたデータに応じて発光ダイオード１０がシリアルに発光制御されるので、発光ダイオード１０の実装密度を容易に大きくすることができ、即ち光量の大幅な向上を図ることができ、より広い範囲での空間光転送を容易に行うことができる。
【００４７】
実施の形態２
本発明に基づく通信用デバイスは、図４に示すように、前記受光手段としてファイバー１７が用いられ、光ファイバー通信を行うように構成されていてもよい。発光ダイオードアレイ部３から発光した情報光１６は、例えば単数又は複数のレンズ群より構成される集光レンズ１８によって集光され、光ファイバー１７に入光される。この場合、一層の消費電力化を図ることができ、より安価に高出力の光の発信源を得ることができる。
【００４８】
実施の形態３
本発明に基づく通信用デバイスは、図５に示すように、発光ダイオード１０の間に前記受光手段を構成する受光素子が実装されていてもよい。これにより、前記発光素子としての発光ダイオード１０と前記受光手段を構成する受光素子１９とを、一つのデバイスとして扱うことが可能となり、一層の小型化を図ることができる。受光素子１９としては、例えば、可視光領域についてはＳｉ系のＰｉｎフォトダイオード、赤外領域についてはＧａＡｓ系のＰｉｎフォトダイオードを用いることができ、これらは低コストである。
【００４９】
上述した実施の形態１〜３の本発明に基づく通信用デバイスのいずれにおいても、前記発光ダイオードアレイ部は、前記発光素子が１次元又は２磁現に実装されてなるので、広範囲に大きな光エネルギーを照射することが可能である。例えば、図６に示すように、壁２０に囲まれた家又はオフィスの天井２１に前記発光ダイオードアレイ部を有する送信手段５を受光手段６と共に設置して、社内ＬＡＮ（Ｌｏｃａｌ  Ａｒｅａ  Ｎｅｔｗｏｒｋ）として用いることが可能である。ここで、上述したように、前記発光ダイオードの間に前記受光手段としての前記受光素子を実装することで、１つのデバイスに前記発光素子と前記受光素子の両方の機能を持たせることが可能となる。
【００５０】
また、前記発光素子として、可視光線を出射する前記発光ダイオードを用いれば、通信用デバイスとして機能すると同時に、照明装置としても使用することができる。
【００５１】
前記発光ダイオードの特徴の一つとして、発光する波長領域が狭いという長所もある。それを利用することで、例えば、ＧａＮ系又はＧａＡｓ系の前記発光ダイオードでドープする元素量をコントロールして複数の波長を発光させても、前記受光手段にバンドパスフィルターを挿入すれば多波長の時空間転送が可能となる。
【００５２】
また、前記発光素子として、赤外光線を出射する前記発光ダイオードを用いてもよい。例えば、赤外光線を出射する前記発光ダイオードを用い、図６に示すように、受光手段６と送信手段５とを天井２１に取り付けることで、赤外線増幅装置としての役割を果たすことができる。これにより、通信用デバイスとしての機能を有すると共に、リモートコントローラとしても使用することができる。具体的には、リモートコントローラを天井にかざすことで、部屋全体に赤外線が行き渡るので、たとえ障害物があっても所望の装置に電波を飛ばすことが可能となる。
【００５３】
実施の形態４
また、本発明は、前記送信手段、更には前記受光手段からなる上記した通信手段を画像表示装置上に配置することによって、通信システムと画像表示装置とを一体化した通信兼表示用デバイスにも係るものである。本発明に基づく通信兼表示用デバイスは、上記した本発明に基づく通信システムを有することが好ましい。
【００５４】
具体的には、前記発光ダイオードを利用したデバイスとしてディスプレイデバイスが実用化されているが、例えばディスプレイ中に赤（Ｒ）、緑（Ｇ）、青（Ｂ）及び赤外光線を出射する前記マイクロ発光ダイオードを設置し、通常画像データの中に時分割してデータを入れることで、情報空間転送を兼ねたディスプレイを実現することができる。
【００５５】
上記した実施の形態１〜４のいずれの場合においても、前記発光素子の発光が、人間が点滅を認識するといわれている周波数５００Ｈｚ以上の点滅であれば、人間がそれを信号情報として認識することができないため、上記したような複数の機能を有するデバイスとして動作させることができる。
【００５６】
また、以前の電波式と比較して、直進性に優れているために傍受がされにくいという長所がある。さらに、現在利用されている２．４ＧＨｚ帯の電波は水の双極子モーメントの共振周波数に非常に近く、現在は人体への影響が無いともいえない。それに比べて、赤外線や可視光を出射する前記発光ダイオードを用いた本発明に基づく通信用デバイスは、基本的に太陽光と同じ波長成分であり、人体への影響は少ないといえる。
【００５７】
さらに、本発明に基づく通信用デバイスは、上述したように、前記発光素子と前記受光素子とが１対１に対応するように光軸を合わせる必要がないため、例えば、携帯電話を用いた自動販売機における情報の送受信に好適に用いることができる。また、光軸を合わせる必要がなく、更には前記情報光によって通信を行い、特に配線を設ける必要がないので、例えば、ＰＨＳ（Ｐｅｒｓｏｎａｌ  Ｈａｎｄｙｐｈｏｎｅ  Ｓｙｓｔｅｍ）のような屋内無線ＩＰ（Ｉｎｔｅｒｎｅｔ  Ｐｒｏｔｏｃｏｌ）電話システムにおける情報の送受信等に好適に用いることができる。
【００５８】
以上、本発明の実施の形態について説明したが、上述の例は、本発明の技術的思想に基づき種々に変形が可能である。
【００５９】
例えば、前記発光ダイオードアレイ部において、前記発光ダイオードの波長が全て同種又は一部異なるように構成されていてもよい。
【００６０】
また、前記発光ダイオードとしてプレーナー型の発光ダイオードを例に挙げて説明したが、ピラミッド型の発光ダイオード等も勿論使用可能である。
【００６１】
【発明の作用効果】
本発明によれば、前記複数の発光素子にシリアルに入力されたデータに応じて前記発光素子をシリアルに発光制御する光情報の前記送信手段と、前記送信手段からの情報光を受光する前記受光手段とを有し、前記情報光に対応したデータをシリアルに出力するように構成されているので、前記発光素子と前記受光手段とが１対１に対応するように正確に光軸を合わせる必要がなくなり、相互信号の光路長の変化による同期のずれもない。従って、前記送信手段及び前記受光手段の設置位置の自由度が増し、前記シリアルデータの通信を容易に行うことができる。
【００６２】
また、前記発光素子がシリアルに発光制御され、前記受光手段が前記情報光に対応したデータをシリアルに出力するので、従来例ようなシリアル信号をパラレル信号に変換したり、或いはパラレル信号をシリアル信号に変換する時間が省かれ、高速な応答性を有することができる。
【００６３】
また、シリアル信号をパラレル信号に変換するための回路及びパラレル信号をシリアル信号に変換するための回路を必要としないので、デバイス自体の小型化及び低消費電力化を図ることができる。
【００６４】
さらに、前記複数の発光素子にシリアルに入力されたデータに応じて前記発光素子がシリアルに発光制御されるので、前記発光素子の実装密度を容易に大きくすることができ、即ち光量の大幅な向上を図ることができ、広い範囲での空間光転送を容易に行うことができる。
【図面の簡単な説明】
【図１】本発明の実施の形態における、本発明に基づく通信用デバイスの一例の模式図である。
【図２】同、発光ダイオードアレイ部の概略斜視図である。
【図３】同、前記発光素子としてマイクロ発光ダイオードを用いた場合の模式図である。
【図４】同、本発明に基づく通信用デバイスの他の例の模式図である。
【図５】同、本発明に基づく通信用デバイスを構成する前記発光ダイオードアレイ部の他の例の概略平面図である。
【図６】同、本発明に基づく通信用デバイスの更に他の例の模式図である。
【図７】従来例による通信システムのシステム構成図である。
【符号の説明】
１…通信用デバイス、２…データ線選択回路、３…発光ダイオードアレイ部、４…シフトレジスタ、５…送信手段、６…受光手段、７…増幅器、
８…２値化回路、９…データ選択回路、１０…発光ダイオード、１１…基板、
１２…ｐ極、１３…ｎ極、１４…Ｎ電極、１５…Ｐ電極、１６…情報光、
１７…ファイバー、１８…集光レンズ、１９…受光素子
【図１】
2004297630.tif 000003
【図２】
2004297630.tif 000004
【図３】
2004297630.tif 000005
【図４】
2004297630.tif 000006
【図５】
2004297630.tif 000007
【図６】
2004297630.tif 000008
【図７】
2004297630.tif 000009